(57)【要約】【課題】排水の流路を切り替えた後であっても、流路を切り替える部材が紛失することを防止する排水ますおよびそれを備えた排水システムを提供する。【解決手段】排水ます２０は、上方に開口する点検口３１と、側部に形成され、排水が流入する流入口３２と、側部に形成され、排水が流出する第１流出口３３と、側部に形成され、排水が流出する第２流出口３３と、を有する有底筒状のます本体２１と、ます本体２１内に設けられ、排水を導くインバート体２６とを備えている。インバート体２６は、ます本体２１内に設けられた状態で流入口３２と第１流出口３３とを繋ぐ第１の切替位置と、ます本体２１内に設けられた状態で流入口３２と第２流出口３４とを繋ぐ第２の切替位置との間で位置変更が可能である。【選択図】図３
2015145583.tif 000002
【特許請求の範囲】
【請求項１】
上方に開口する点検口と、側部に形成され、排水が流入する流入口と、側部に形成され、排水が流出する第１流出口と、側部に形成され、排水が流出する第２流出口と、を有する有底筒状のます本体と、
前記ます本体内に設けられ、排水を導くインバート体と、
を備え、
前記インバート体は、前記ます本体内に設けられた状態で前記流入口と前記第１流出口とを繋ぐ第１の切替位置と、前記ます本体内に設けられた状態で前記流入口と前記第２流出口とを繋ぐ第２の切替位置との間で位置変更が可能である、排水ます。
【請求項２】
前記第２流出口の上端は、前記流入口の上端および前記第１流出口の上端よりも下方に配置され、
前記ます本体は、前記ます本体の底面において前記流入口と前記第２流出口とを繋ぐ本体溝部を備え、
前記インバート体は、排水を導くインバート溝部と、前記インバート溝部を前記ます本体に対して上下移動可能に支持する支持部とを備え、
前記第１の切替位置は、前記インバート溝部が前記本体溝部の上方において前記流入口と前記第１流出口との間の少なくとも一部を繋ぐ位置であり、
前記第２の切替位置は、前記第１の切替位置の上方かつ前記インバート溝部が前記本体溝部から上方に離間した位置である、請求項１に記載された排水ます。
【請求項３】
前記インバート体は、前記第１の切替位置に配置されたときに前記第２流出口の上端より上方に配置される上面部を備え、
前記インバート溝部は、前記上面部よりも下方に凹んでいる、請求項２に記載された排水ます。
【請求項４】
前記ます本体は、第１底面部と、前記第１底面部から下方に凹んだ第２底面部とを有し、
前記本体溝部は、前記第１底面部に形成され、前記流入口と繋がる流入溝部と、前記第２底面部に形成され、上流端が前記流入溝部の下流端と連続し、下流端が第２流出口と繋がる流出溝部とを有し、
前記インバート溝部は、前記インバート体が第１の切替位置に配置されたとき、前記流入溝部と前記第１流出口との間に配置される、請求項２または３に記載された排水ます。
【請求項５】
前記第１流出口は、前記流入口と対向する位置に設けられており、
前記インバート溝部は、直線状に形成されている、請求項２から４までの何れか一つに記載された排水ます。
【請求項６】
前記インバート体には、前記インバート体が前記第２の切替位置に配置されたとき、前記第１流出口を閉鎖する閉鎖部が設けられた、請求項１から５までの何れか一つに記載された排水ます。
【請求項７】
前記ます本体は、前記インバート体の前記支持部がスライド可能に係合したガイド溝を備え、
前記ガイド溝は、前記インバート体が前記第２の切替位置に配置されたときに、前記インバート体が前記第２の切替位置に保持されるように前記インバート体の前記支持部を狭持するように構成されている、請求項２に記載された排水ます。
【請求項８】
前記ガイド溝は、可撓性を有する部材によって形成されている、請求項７に記載された排水ます。
【請求項９】
前記インバート体には、取っ手が設けられている、請求項１から８までの何れか一つに記載された排水ます。
【請求項１０】
請求項１から９までの何れか一つに記載された排水ますと、
上流端が排水設備に接続され、下流端が前記流入口に接続された流入管路と、
上流端が前記第１流出口に接続された第１流出管路と、
上流端が前記第２流出口に接続された第２流出管路と、
前記第２流出管路の下流端に接続された貯留槽と、
を備えた、排水システム。
【発明の詳細な説明】
【技術分野】
【０００１】
本発明は、排水ますおよびそれを備えた排水システムに関する。
【背景技術】
【０００２】
従来から、排水設備から下水本管に排水を排出する排水システムが知られている。排水設備としては、例えば、トレイ、風呂、または台所の流し台等が挙げられる。この種の排水システムは、排水設備と下水本管とを繋ぐ流出管路を備えている。排水設備から流出する排水は、流出管路を通じて下水本管へ排出される。
【０００３】
ところで、大規模な地震または津波等の災害が発生した場合、下水本管が破損するおそれがある。下水本管が破損してしまった場合、下水本管から排水が外部に漏れてしまうおそれがある。
【０００４】
特許文献１には、排水の流路切替機能を有する排水ますが開示されている。この排水ますは、上部に開口する有底の縦筒部と、縦筒部の左右に突設された上流側および下流側の通常時管路と、通常時管路の下側で縦筒部から一方向に突設された応急時管路と、応急時管路を閉鎖する閉鎖扉とを備えている。例えば、下流側の通常時管路には下水本管が接続され、応急時管路には応急用の排水処理施設が接続される。この排水ますは、通常時には閉鎖扉によって応急時管路が閉鎖されている。このため、通常時の排水は、通常時管路を通じて下水本管に排出される。一方、災害時等の応急時には、閉鎖扉を引き上げることで応急時管路を開放することによって、排水は縦筒部内を自然に落下して、応急時管路から応急用の排水処理施設へ流れる。
【先行技術文献】
【特許文献】
【０００５】
【特許文献１】特開平７−３００８９７号公報
【発明の概要】
【発明が解決しようとする課題】
【０００６】
しかしながら、特許文献１に記載された排水ますでは、応急時において、閉鎖扉は縦筒部から取り外される。そして、下水本管が修復された後には、閉鎖扉は、縦筒部内に装着される。そのため、応急時において、閉鎖扉が紛失すると困るため、閉鎖扉を保管する場所を確保する必要があった。
【０００７】
本発明はかかる点に鑑みてなされたものであり、その目的は、排水の流路を切り替えた後であっても、流路を切り替える部材が紛失することを防止する排水ますおよびそれを備えた排水システムを提供することである。
【課題を解決するための手段】
【０００８】
本発明に係る排水ますは、上方に開口する点検口と、側部に形成され、排水が流入する流入口と、側部に形成され、排水が流出する第１流出口と、側部に形成され、排水が流出する第２流出口と、を有する有底筒状のます本体と、前記ます本体内に設けられ、排水を導くインバート体と、を備えている。前記インバート体は、前記ます本体内に設けられた状態で前記流入口と前記第１流出口とを繋ぐ第１の切替位置と、前記ます本体内に設けられた状態で前記流入口と前記第２流出口とを繋ぐ第２の切替位置との間で位置変更が可能である。
【０００９】
前記排水ますによれば、インバート体を第１の切替位置に配置した場合、流入口からます本体内に流入する排水を第１流出口に流すことができる。一方、インバート体を第２の切替位置に配置した場合、流入口からます本体内に流入する排水を第２流出口に流すことができる。インバート体を第１の切替位置および第２の切替位置の何れの切替位置に配置した場合であっても、インバート体はます本体内に配置されている。排水ます内の流路の切り替えに際して、インバート体をます本体から取り外す必要がない。したがって、ます本体の外において、インバート体の保管場所を確保する必要がない。よって、インバート体が紛失することを防止することができる。
【００１０】
本発明の好ましい一態様によれば、前記第２流出口の上端は、前記流入口の上端および前記第１流出口の上端よりも下方に配置されている。前記ます本体は、前記ます本体の底面において前記流入口と前記第２流出口とを繋ぐ本体溝部を備えている。前記インバート体は、排水を導くインバート溝部と、前記インバート溝部を前記ます本体に対して上下移動可能に支持する支持部とを備えている。前記第１の切替位置は、前記インバート溝部が前記本体溝部の上方において前記流入口と前記第１流出口との間の少なくとも一部を繋ぐ位置である。前記第２の切替位置は、前記第１の切替位置の上方かつ前記インバート溝部が前記本体溝部から上方に離間した位置である。
【００１１】
上記態様によれば、インバート体を上下方向に移動させることによって、第１の切替位置と第２の切替位置とに位置変更することができる。インバート体を第１の切替位置から上方に移動させて第２の切替位置に配置すると、インバート溝部による流入口と第１流出口との接続が解除され、流入口と第２流出口とが本体溝部によって接続された状態となる。よって、流入口からます本体内に流入する排水を、本体溝部を通じて、第２流出口へ円滑に流すことができる。一方、インバート体を第２の切替位置から下方に移動させて第１の切替位置に配置すると、インバート溝部によって流入口と第１流出口とが接続される。よって、流入口からます本体内に流入する排水を、インバート溝部を通じて、第１流出口へ円滑に流すことができる。
【００１２】
本発明の好ましい他の一態様によれば、前記インバート体は、前記第１の切替位置に配置されたときに前記第２流出口の上端より上方に配置される上面部を備えている。前記インバート溝部は、前記上面部よりも下方に凹んでいる。
【００１３】
上記態様によれば、インバート体が第１の切替位置に配置されたとき、仮にインバート溝部を流れる排水がインバート溝部を超えてしまっても、上面部によって、その排水がます本体内の底面に溜まることを防止することができる。
【００１４】
前記ます本体は、第１底面部と、前記第１底面部から下方に凹んだ第２底面部とを有している。前記本体溝部は、前記第１底面部に形成され、前記流入口と繋がる流入溝部と、前記第２底面部に形成され、上流端が前記流入溝部の下流端と連続し、下流端が第２流出口と繋がる流出溝部とを有している。前記インバート溝部は、前記インバート体が第１の切替位置に配置されたとき、前記流入溝部と前記第１流出口との間に配置される。
【００１５】
上記態様によれば、インバート体が第１の切替位置に配置されたとき、流入口からます本体内に流入する排水を、流入溝部およびインバート溝部を介して、第１流出口へ流すことができる。一方、インバート体が第２の切替位置に配置されたとき、流入口からます本体内に流入する排水を、流入溝部および流出溝部を介して、第２流出口へ流すことができる。
【００１６】
本発明の好ましい他の一態様によれば、前記第１流出口は、前記流入口と対向する位置に設けられている。前記インバート溝部は、直線状に形成されている。
【００１７】
上記態様によれば、インバート溝部は、直線状に形成されているため、インバート体が第１の切替位置に配置されたとき、流入口からます本体内に流入する排水を、第１流出口へより円滑に流すことができる。
【００１８】
本発明の好ましい他の一態様によれば、前記インバート体には、前記インバート体が前記第２の切替位置に配置されたとき、前記第１流出口を閉鎖する閉鎖部が設けられている。
【００１９】
上記態様によれば、インバート体が第２の切替位置に配置されたとき、第１流出口からます本体内に排水が逆流することを防止することができる。
【００２０】
本発明の好ましい他の一態様によれば、前記ます本体は、前記インバート体の前記支持部がスライド可能に係合したガイド溝を備えている。前記ガイド溝は、前記インバート体が前記第２の切替位置に配置されたときに、前記インバート体が前記第２の切替位置に保持されるように前記インバート体の前記支持部を狭持するように構成されている。
【００２１】
上記態様によれば、インバート体が第２の切替位置に配置されたとき、インバート体の支持部がガイド溝によって狭持されるため、インバート体をます本体内で保持することができる。また、ガイド溝によって、インバート体の切替位置を容易に変更することができる。
【００２２】
本発明の好ましい他の一態様によれば、前記ガイド溝は、可撓性を有する部材によって形成されている。
【００２３】
上記態様によれば、インバート体をます本体内で容易に保持することができる。
【００２４】
本発明の好ましい他の一態様によれば、前記インバート体には、取っ手が設けられている。
【００２５】
上記態様によれば、作業者が取っ手を持って、インバート体の切替位置を変更し易くすることができる。
【００２６】
本発明に係る排水システムは、上述した何れか一つに記載された排水ますと、上流端が排水設備に接続され、下流端が前記流入口に接続された流入管路と、上流端が前記第１流出口に接続された第１流出管路と、上流端が前記第２流出口に接続された第２流出管路と、前記第２流出管路の下流端に接続された貯留槽と、を備えている。
【００２７】
前記排水システムによれば、第１流出管路または下水本管が破損した場合であっても、排水ますによって排水の流路を切り替えることで、排水設備から流入管路に流入する排水を、排水ますを通じて、第２流出管路から貯留槽に排出することができる。
【発明の効果】
【００２８】
本発明によれば、排水の流路を切り替えた後であっても、流路を切り替える部材が紛失することを防止する排水ますおよびそれを備えた排水システムを提供することができる。
【図面の簡単な説明】
【００２９】
【図１】第１実施形態に係る排水システムの平面図である。
【図２】第１実施形態に係る排水システムの正面図である。
【図３】排水ますの平面図である。
【図４】排水ますの正面図である。
【図５】図３におけるＶ−Ｖ断面における排水ますの正面断面図である。
【図６】ます本体の平面図である。
【図７】インバート体の保持板を第１ガイド溝に配置した状態を示す図である。
【図８】インバート体の閉鎖板を第２ガイド溝に配置した状態を示す図である。
【図９】排水ますの正面断面図であり、インバート体を第２の切替位置に配置した状態を示す図である。
【図１０】インバート体の正面図である。
【図１１】インバート体の平面図である。
【図１２】インバート体の側面図であり、閉鎖板側から見た図である。
【図１３】保持板を示す図である。
【図１４】第２実施形態に係る排水システムの平面図である。
【図１５】第２実施形態に係る排水ますの平面図である。
【図１６】図１５のＸＶＩ−ＸＶＩ断面における排水ますの断面図である。
【図１７】図１５において、回動体をます本体に対して回動させた図である。
【図１８】回動体の平面図である。
【図１９】回動体の左側面図である。
【発明を実施するための形態】
【００３０】
以下、図面を参照しながら、本発明に係る排水ますおよび排水システムの各実施形態について説明する。ここで説明される各実施形態は、当然ながら特に本発明を限定することを意図したものではない。また、同じ作用を奏する部材・部位には同じ符号を付し、重複する説明は省略または簡略化する。
【００３１】
＜第１実施形態＞
まず、第１実施形態に係る排水システム１Ａについて説明する。図１は、第１実施形態に係る排水システム１Ａの平面図である。図２は、排水システム１Ａの正面図である。図１に示すように、排水システム１Ａは、排水が流れるシステムである。ここで、「排水」には、汚水および雨水が含まれる。「汚水」とは、トイレ、風呂、および台所の流し台等から排出される水であり、そのままでは河川に放流させることができないものである。本実施形態では、トイレ、風呂、および台所の流し台等のように、汚水が排出される設備を排水設備５とする。「雨水」とは、降雨などの自然現象に起因する水であり、そのまま河川に放流させることができるものである。本実施形態では、排水システム１Ａは、排水のうち排水設備５から流出する汚水が流れるシステムである。しかし、排水システム１Ａは、雨水が流れるシステムであってもよい。この場合、排水設備５は、雨水が集約される側溝等に置換される。本実施形態では、図２に示すように、排水システム１Ａは、地中に埋設されている。排水システム１Ａは、排水管路１０と、排水の流路が切り替えることが可能な排水ます２０と、貯留槽７０とを備えている。
【００３２】
排水管路１０は、特に図示はしていないが、下流に向かって下方に傾斜している。図１に示すように、排水管路１０は、流入管路１１と、第１流出管路１２と、第２流出管路１３とを備えている。流入管路１１には、排水設備５から排出される汚水が流入する。流入管路１１の上流端は、排水設備５に接続されている。流入管路１１の下流端は、排水ます２０の流入口３２に接続されている。第１流出管路１２の上流端は、排水ます２０の第１流出口３３に接続されている。第１流出管路１２の下流端は、汚水を汚水処理場等に導く下水本管１５に接続されている。なお、第１流出管路１２内には、公共ます１６が設けられている。
【００３３】
第２流出管路１３の上流端は、排水ます２０の第２流出口３４に接続されている。第２流出管路１３の下流端は、汚水を貯留する貯留槽７０に接続されている。なお、「管路」とは、水を流通させる通路を意味する。「管路」は、一本の配管によって構成されていてもよいし、本実施形態のように、複数本の配管とそれら配管を接続する継手によって構成されていてもよい。
【００３４】
次に、本実施形態に係る排水ます２０について説明する。排水ます２０は、排水（本実施形態では汚水）の流路の切り替えが可能なますである。排水ます２０は、排水管路１０の途中箇所に設けられている。図３は、排水ます２０の平面図である。図４は、排水ます２０の正面図である。図５は、図３のＶ−Ｖ断面における排水ます２０の正面断面図である。図３に示すように、排水ます２０は、ます本体２１と、インバート体２６とを備えている。
【００３５】
図５に示すように、ます本体２１は、有底筒状であり、内部に空間を有する形状である。本実施形態では、ます本体２１は、第１底面部２１ａと、第１底面部２１ａから更に下方に落ち込んだ第２底面部２１ｂとを有している。ここでは、図５において、ます本体２１の左側（流入口３２が設けられている側）を上流側、右側（第１流出口３３が設けられている側）を下流側としたとき、第１底面部２１ａは、上流側に設けられている。第２底面部２１ｂは、下流側に設けられている。ます本体２１の上部には、上方に開口する点検口３１が形成されている。図４に示すように、ます本体２１の側部には、側方に開口する流入口３２、第１流出口３３および第２流出口３４が形成されている。
【００３６】
点検口３１は、作業者がます本体２１の内部に破損または詰まり等がないかのメンテナンスを行う部位である。図３に示すように、点検口３１は、流入口３２、第１流出口３３および第２流出口３４よりも大きく開口している。点検口３１の内径は、第１流出口３３の内径、および、第２流出口３４の内径よりも大きい。そのため、作業者は、点検口３１を通じて、ます本体２１の内部の上記メンテナンスを容易に行うことができる。図２に示すように、点検口３１には、点検筒１７が接続されている。ここでは、点検筒１７の上端が地面と略同じ高さに配置されるように、排水ます２０は地中に埋設されている。作業者は、点検筒１７を通じて、ます本体２１の内部の上記メンテナンスを行う。なお、点検筒１７の上端には、蓋１８が配置されている。通常時、点検筒１７は、蓋１８によって閉じられている。
【００３７】
図５に示すように、流入口３２は、ます本体２１の側部に設けられている。ここでは、流入口３２には、汚水が流入する。本実施形態では流入口３２は、配管が挿入される受口であるが、配管に挿入される差口であってもよい。図１に示すように、前述の通り、流入口３２には流入管路１１が接続される。なお、本実施形態では流入口３２には、流入管路１１の一部をなす配管が直接接続されるが、流入口３２に上記配管が他の部材などを介して間接的に接続されていてもよい。
【００３８】
図５に示すように、第１流出口３３は、ます本体２１の側部に設けられている。本実施形態では、第１流出口３３は、流入口３２の反対側に配置されており、流入口３２と対向している。ただし、第１流出口３３の配置位置は特に限定されない。第１流出口３３から汚水が流出する。本実施形態では、第１流出口３３は受口であるが、第１流出口３３は差口であってもよい。図１に示すように、前述の通り、第１流出口３３には、第１流出管路１２が接続される。第１流出口３３には、第１流出管路１２の一部をなす配管が直接接続されていてもよく、上記配管が他の部材を介して間接的に接続されていてもよい。
【００３９】
図４に示すように、第２流出口３４は、ます本体２１の側部に設けられている。ここでは、第２流出口３４は、ます本体２１の側部の下流側であって、第２底面部２１ｂ（図５参照）の上方におけるます本体２１の側部に設けられている。第２流出口３４から汚水が流出する。本実施形態では、第２流出口３４は受口であるが、第２流出口３４は差口であってもよい。図１に示すように、前述の通り、第２流出口３４には、第２流出管路１３が接続される。第２流出口３４には、第２流出管路１３の一部をなす配管が直接接続されていてもよく、上記配管が他の部材を介して間接的に接続されていてもよい。
【００４０】
次に、流入口３２と第１流出口３３と第２流出口３４との高さ位置の関係、および、大きさの関係について説明する。図４に示すように、流入口３２と第１流出口３３とは、同じ高さの位置に設けられている。ただし、流入口３２と第１流出口３３との高さは異なっていてもよい。例えば、流入口３２は、第１流出口３３よりも高い位置に配置されてもよい。第２流出口３４は、流入口３２および第１流出口３３よりも低い位置に配置されている。ここでは、第２流出口３４の上端は、流入口３２の上端よりも下方の位置であって、流入口３２の下端よりも上方の位置に配置されている。また、第２流出口３４の上端は、第１流出口３３の上端よりも下方の位置であって、第１流出口３３の下端よりも上方の位置に配置されている。ここでは、流入口３２と第１流出口３３と第２流出口３４とは、同じ大きさで開口している。流入口３２、第１流出口３３および第２流出口３４のそれぞれの内径は同じ大きさである。ただし、流入口３２と第１流出口３３と第２流出口３４とは、それぞれ異なる大きさで開口していてもよい。
【００４１】
図６は、ます本体２１の平面図であり、インバート２６をます本体２１から取り外した図である。図６に示すように、ます本体２１の内部には、流入溝部４１および流出溝部４２が設けられている。流入溝部４１および流出溝部４２は、それぞれ汚水を導くものである。流入溝部４１と流出溝部４２によって、流入口３２と第２流出口３４とが繋がる。図５に示すように、流入溝部４１は、ます本体２１の第１底面部２１ａに形成されている。流入溝部４１の上流端は、流入口３２と繋がっており、流入口３２と連続している。図６に示すように、流入溝部４１は、平面視において、流入口３２から第１底面部２１ａと第２底面部２１ｂとの境目に向かって延びている。流入溝部４１は、半管状の形状を有している。ここでは、流入溝部４１は、直線状に形成されている。ただし、流入溝部４１の形状は特に限定されない。
【００４２】
図５に示すように、流出溝部４２は、ます本体２１内の第１底面部２１ａから更に下方に落ち込んだ第２底面部２１ｂに形成されている。流出溝部４２は、流入溝部４１よりも下方に配置されている。流出溝部４２の上流端は、第１底面部２１ａと第２底面部２１ｂとの境目に配置されている。図６に示すように、平面視において、流出溝部４２の上流端は、流入溝部４１の下流端と連続している。流出溝部４２の下流端は、第２流出口３４と繋がっており、第２流出口３４と連続している。流出溝部４２は、半管状の形状を有している。ここでは、流出溝部４２は、第１底面部２１ａと第２底面部２１ｂとの境目から第２流出口３４に向かって湾曲している。ただし、流出溝部４２の形状は特に限定されない。流出溝部４２は、屈曲していてもよいし、直線状であってもよい。なお、本実施形態では、流入溝部４１と流出溝部４２が、「本体溝部」に対応する。
【００４３】
ます本体２１の内部には、第１ガイド溝４３および第２ガイド溝４４が設けられている。第１ガイド溝４３および第２ガイド溝４４は、インバート体２６を保持する部材であると共に、インバート体２６の移動方向を規制する部材である。ここでは、第１ガイド溝４３は、インバート体２６の後述する保持板５３がスライド可能に係合する。第１ガイド溝４３は、インバート体２６が第２の切替位置（図９参照）に配置されたときに、インバート体２６が第２の切替位置に保持されるように保持板５３を狭持するように構成されている。
【００４４】
第１ガイド溝４３は、平面視において、流出溝部４２の上流端側に設けられている。第１ガイド溝４３は、流出溝部４２の上端近傍から上方に向かって延びている。第１ガイド溝４３は、直線状の溝を有している。図５に示すように、第１ガイド溝４３の上端は、ます本体２１内において、流入口３２および第１流出口３３の上端よりも上方に位置している。図６に示すように、第１ガイド溝４３は、平面視において、点検口３１内に設けられている。図７は、インバート体２６の保持板５３を第１ガイド溝４３に配置した状態を示す図である。図７に示すように、第１ガイド溝４３には、後述するインバート体２６の保持板５３が嵌る。第１ガイド溝４３は、保持板５３を狭持している。第１ガイド溝４３は、可撓性を有する部材によって形成されている。ここでは、第１ガイド溝４３は、ゴム製である。なお、本実施形態では、第１ガイド溝４３が、「ガイド溝」に対応する。
【００４５】
第２ガイド溝４４は、インバート体２６の後述する閉鎖板５４がスライド可能に係合する。図６に示すように、第２ガイド溝４４は、ます本体２１内の第１流出口３３側に設けられている。第２ガイド溝４４は、ます本体２１の第２底面部２１ｂに形成され、かつ、第２底面部２１ｂから上方に向かって延びている。また、第２ガイド溝４４は、第１流出口３３側から見て第１流出口３３の左右両側近傍を通っている。第２ガイド溝４４の上端は、ます本体２１内において、流入口３２および第１流出口３３の上端よりも上方に位置している。第２ガイド溝４４は、平面視において、点検口３１内に設けられている。図８は、インバート体２６の閉鎖板５４を第２ガイド溝４４に配置した状態を示す図である。図８に示すように、第２ガイド溝４４には、後述するインバート体２６の閉鎖板５４が嵌る。第２ガイド溝４４は、閉鎖板５４を狭持している。第２ガイド溝４４は、可撓性を有する部材によって形成されている。ここでは、第２ガイド溝４４は、ゴム製である。
【００４６】
次に、インバート体２６について説明する。インバート体２６は、ます本体２１内の排水（本実施形態では汚水）の流路を切り替える部材である。インバート体２６は、排水を導くものである。図５に示すように、インバート体２６は、ます本体２１内に設けられている。
【００４７】
図９は、排水ます２０の正面断面図であり、インバート体２６を第２の切替位置に配置した状態を示す図である。インバート体２６は、ます本体２１内に設けられた状態で流入口３２と第１流出口３３とを繋ぐ第１の切替位置（図５参照）と、ます本体２１内に設けられた状態で流入口３２と第２流出口３４とを繋ぐ第２の切替位置（図９参照）との間で位置変更が可能である。本実施形態では、インバート体２６は、第１ガイド溝４３および第２ガイド溝４４に沿って、上下方向に移動可能である。図５に示すように、第１ガイド溝４３および第２ガイド溝４４の下部にインバート体２６が配置され、かつ、流入溝部４１と第１流出口３３との間に配置されるときの位置が、第１の切替位置となり、図９に示すように、第１ガイド溝４３および第２ガイド溝４４の上部にインバート体２６が配置されるときの位置が、第２の切替位置となる。図１０は、インバート体２６の正面図である。図１１は、インバート体２６の平面図である。図１２は、インバート体２６の側面図であり、閉鎖板５４側から見た図である。図１０に示すように、インバート体２６は、溝部５１と、上面部５２と、保持板５３と、閉鎖板５４と、取っ手５５とを備えている。
【００４８】
溝部５１は、汚水を導くものである。図５に示すように、溝部５１は、流出溝部４２の上方において、第１の切替位置にインバート体２６を配置したときに、流入口３２と第１流出口３３とを繋ぐ。ここでは、インバート体２６が第１の切替位置に配置されたとき、溝部５１の上流端は、ます本体２１内の流入溝部４１と繋がり、流入溝部４１を介して流入口３２と繋がる。溝部５１の下流端は、第１流出口３３と繋がる。なお、図９に示すように、第２の切替位置とは、第１の切替位置の上方、かつ、溝部５１が流入溝部４１および流出溝部４２から上方に離間した位置である。本実施形態では、図１２に示すように、溝部５１は、半管状の形状を有している。図１１に示すように、溝部５１は、平面視において、直線状に形成されている。しかし、溝部５１は、湾曲していてもよいし、屈曲していてもよい。なお、本実施形態では、溝部５１が「インバート溝部」に対応する。
【００４９】
図５に示すように、流入口３２と第１流出口３３とが繋がる第１の切替位置にインバート体２６が配置されたとき、上面部５２は、第２流出口３４（図４参照）の上端より上方に配置される。図１２に示すように、溝部５１は、上面部５２よりも下方に凹んでいる。上面部５２は、溝部５１の上端と連続している。なお、本実施形態では、上面部５２は溝部５１の上端から水平方向に延びているが、溝部５１から離れるに連れて上方に延びていてもよい。上面部４４は傾斜していてもよい。このことによって、溝部５１を流れる汚水が上面部５２に乗り上げてしまった場合、汚水は、上面部５２の傾斜によって溝部５１へ導かれ易くなる。
【００５０】
図１０に示すように、保持板５３は、インバート体２６の溝部５１をます本体２１に対して上下移動可能に支持するものである。ここでは、保持板５３は、溝部５１の上流端に設けられている。ここでは、保持板５３は、溝部５１の上流端から下方に向かって延びた板状の部材である。図７に示すように、保持板５３は、ます本体２１内に設けられた第１ガイド溝４３に嵌る。保持板５３は、第１ガイド溝４３によって狭持されている。図１３は、保持板５３を示す図である。図１３に示すように、保持板５３の左右両端であって、第１ガイド溝４３に嵌る箇所には、可撓部材６１が設けられている。可撓部材６１は、可撓性を有する部材であり、本実施形態では、ゴム製である。このことによって、保持板５３が第１ガイド溝４３に対して保持され易くなる。なお、本実施形態では、保持板５３が「支持部」に対応する。
【００５１】
本実施形態では、保持板５３の下部には、開口部６２が形成されている。開口部６２は、保持板５３の下部中央から上方に向かって切り欠けられた部位である。ます本体２１内に設けられた状態で流入口３２と第２流出口３４とが繋がる第２の切替位置（図９参照）にインバート体２６が配置されたとき、開口部６２には、汚水が流れる。なお、開口部６２は、省略することが可能である。この場合、保持板５３の下端は、溝部５１の最下端と同じ高さに配置されているとよい。
【００５２】
図１０に示すように、閉鎖板５４は、溝部５１の下流端に設けられている。ここでは、閉鎖板５４は、溝部５１の下流端から下方に向かって延びた板状の部材である。図９に示すように、閉鎖板５４は、インバート体２６が第２の切替位置に配置されたとき、第１流出口３４を閉鎖する。閉鎖板５４は、第１流出口３４を塞ぐことが可能な大きさである。閉鎖板５４の第１流出口３４と対向する面における縦方向および横方向のそれぞれの長さは、第１流出口３４の内径の長さよりも長い。ここでは、閉鎖板５４の下部の端部は湾曲しているが、屈曲していてもよい。
【００５３】
図８に示すように、閉鎖板５４は、ます本体２１内に設けられた第２ガイド溝４４に嵌る。閉鎖板５４は、第２ガイド溝４４によって狭持されている。閉鎖板５４の下端および左右両端であって、第２ガイド溝４４に嵌る箇所には、可撓部材６６が設けられている。可撓部材６６は、可撓性を有する部材であり、本実施形態では、ゴム製である。このことによって、閉鎖板５４が第２ガイド溝４４に対して保持され易くなる。なお、本実施形態では、閉鎖板５４が「閉鎖部」に対応する。
【００５４】
図１１に示すように、取っ手５５は、溝部５１の上端の中央部分に設けられている。取っ手５５の形状は特に限定されないが、ここでは、取っ手５５は、溝部５１の２つの上端を架け渡すような形状を有している。取っ手５５は、溝部５１と一体であってもよいし、別体であってもよい。
【００５５】
次に、貯留槽７０について説明する。図２に示すように、貯留槽７０は、排水設備５から排出された汚水を貯留する槽である。貯留槽７０は、タンクによって構成されており、内部に密封された空間を有している。貯留槽７０の側面上部には、排水口７１が形成されている。排水口７１には、第２流出管路１３の下流端が接続されており、第２流出管路１３を介して排水ます２０の第２流出口３４が接続されている。
【００５６】
貯留槽７０の上面には、鉛直方向に円筒７８が突設されている。円筒７８は、上端が地面と略同一の高さとなるようにして、貯留槽７０の上面に設けられている。作業者は、円筒７８を通じて、浄化槽７０の内部を保守および点検することができる。なお、通常時において、円筒７８の上部は蓋７９によって閉塞されている。
【００５７】
次に、本実施形態に係る排水システム１Ａおよび排水ます２０の利用方法について説明する。図１に示すように、排水システム１Ａは、通常時は排水設備５から流出する汚水を下水本管１５に排出し、地震または津波等の災害が発生して下水本管１５が破損したときには、排水ます２０の流路を切り替えて、排水設備５から流出する汚水を貯留槽７０へ排出するように用いられる。以下の説明では、通常時の利用態様を通常時モードといい、災害時の利用態様を災害時モードということとする。
【００５８】
通常時モードでは、図５に示すように、流入口３２と第１流出口３３とが繋がる第１の切替位置に、インバート体２６をます本体２１内に配置する。具体的には、インバート体２６の保持板５３を第１ガイド溝４３に嵌めると共に、インバート体２６の閉鎖板５４を第２ガイド溝４４に嵌める。そして、インバート体２６の溝部５１の上流端がます本体２１内の流入溝部４１に繋がり、かつ、溝部５１の下流端が第１流出口３４に繋がるように、インバート体２６を第１ガイド溝４３および第２ガイド溝４４に沿って上下方向に移動させる。
【００５９】
通常時モードでは、図１に示すように、排水設備５から流出した汚水は、流入管路１１を流れた後、排水ます２０の流入口３２からます本体２１内に流入する。図５に示すように、ます本体２１内に流入した汚水は、流入溝部４１を通った後、インバート体２６の溝部５１を通り、第１流出口３３からます本体２１の外へ流出する。なお、このとき、第２流出口３４は、インバート体２６よりも下方に位置しており、インバート体２６の上面部５２は、ます本体２１の第１底面部２１ａと連続する。そのため、第２流出口３４は、インバート体２６によって閉鎖されている。よって、汚水は、第２流出口３４には流れない。図１に示すように、第１流出口３３から流出した汚水は、第１流出管路１２を流れ、下水本管１５に排出される。下水本管１５に排出された汚水は、汚水処理場等に導かれ、浄化処理される。
【００６０】
災害時モードでは、インバート体２６を第１の切替位置（図５参照）から、流入口３２と第２流出口３４とが繋がる第２の切替位置（図９参照）へ位置を変更する。例えば、以下のようにしてインバート体２６の位置を変更することができる。まず、作業者は、点検筒１７に被せられた蓋１８を取り外す。次に、作業者は、インバート体２６の取っ手５５を持って、インバート体２６を上方に引き上げる。そして、作業者は、インバート体２６の溝部５１の下端が第２流出口３４の上端よりも上方に位置するまで、インバート体２６を引き上げる。このとき、第１流出口３３は、インバート体２６の閉鎖板５４によって閉鎖されている。
【００６１】
災害時モードでは、図１に示すように、排水設備５から流出した汚水は、第１流出管路１１を流れた後、排水ます２０の流入口３２からます本体２１内に流入する。図９に示すように、ます本体２１内に流入した汚水は、流入溝部４１を通った後、自然落下し、流出溝部４２に落ちる。その後、汚水は、流出溝部４２を通り、第２流出口３４からます本体２１の外へ流出する。なお、このとき、第１流出口３３は、閉鎖板５４によって閉鎖されているため、汚水は第１流出口３３には流れない。図１に示すように、第２流出口３４から流出した汚水は、第２流出管路１３を通じて貯留槽７０へ排出され、貯留される。貯留槽７０に貯留された汚水は、例えば、吸引ポンプによって吸い上げられる。この場合、作業者は、貯留槽７０の上面に設けられた円筒７８の上部を閉塞する蓋７９を取り外し、円筒７８を介して貯留槽７０に上記吸引ポンプを挿入する。そして、上記吸引ポンプによって、貯留槽７０に貯留された汚水を外部へ吸い上げる。
【００６２】
以上、本実施形態では、第１流出管路１１または下水本管１５が破損した場合であっても、排水ます２０によって排水の流路を切り替えることで、排水設備５から流入管路１１に流入する汚水を、排水ます２０を通じて、第２流出管路１３から貯留槽７０に排出することができる。
【００６３】
また、本実施形態では、図５に示すように、インバート体２６を第１の切替位置に配置した場合、流入口３２からます本体２１内に流入する汚水を第１流出口３３に流すことができる。一方、図９に示すように、インバート体２６を第２の切替位置に配置した場合、流入口３２からます本体２１内に流入する汚水を第２流出口３４に流すことができる。本実施形態では、インバート体２６を第１の切替位置および第２の切替位置の何れの切替位置に配置した場合であっても、インバート体２６はます本体２１内に配置されている。排水ます２０内の流路の切り替えに際して、インバート体２６をます本体２１から取り外す必要がない。したがって、ます本体２１の外において、インバート体２６の保管場所を確保する必要がない。よって、インバート体２６が紛失することを防止することができる。
【００６４】
本実施形態では、インバート体２６を上下方向に移動させることによって、インバート体２６を、通常時の切替位置（第１の切替位置）と災害時の切替位置（第２の切替位）とに位置変更することができる。図５に示すように、インバート体２６が第１の切替位置に配置される場合、流出溝部４２の上方において、インバート体２６の溝部５１によって流入口３２と第１流出口３３とが繋がる。よって、通常時において、流入口３２からます本体２１内に流入する汚水を、溝部５１を通じて、第１流出口３３へ円滑に流すことができる。一方、図９に示すように、インバート体２６を上方向に移動させて、インバート体２６が第１の切替位置から第２の切替位置に配置される場合、インバート体２６の溝部５１による流入口３２と第１流出口３３との接続が解除され、流入溝部４１と流出溝部４２とによって、流入口３２と第２流出口３４とが接続された状態となる。よって、災害時において、流入口３２からます本体２１内に流入する汚水を、流入溝部４１および流出溝部４２を通じて、第２流出口３４へ円滑に流すことができる。
【００６５】
また、本実施形態では、図５に示すように、インバート体２６は、第１の切替位置に配置されたとき、第２流出口３４の上端より上方に配置される上面部５２を備えている。図１２に示すように、インバート体２６の溝部５１は、上面部５２よりも下方に凹んでいる。このことによって、仮に溝部５１を流れる汚水が溝部５１を超えてしまっても、上面部５２によって、その汚水がます本体２１内の底面に溜まることを防止することができる。
【００６６】
本実施形態では、図３に示すように、第１流出口３３は、流入口３２と対向する位置に設けられている。インバート体２６の溝部５１は、直線状の溝を有している。このことによって、通常時において、流入口３２からます本体２１内に流入する汚水を、第１流出口３３へより円滑に流すことができる。
【００６７】
また、本実施形態では、図９に示すように、インバート体２６には、災害時において、インバート体２６が第２の切替位置に配置されたとき、第１流出口３３を閉鎖する閉鎖板５４が設けられている。このことによって、災害時、第１流出口３３からます本体２１内に汚水が逆流することを防止することができる。
【００６８】
本実施形態では、図３に示すように、ます本体２１は、インバート体２６の保持板５３がスライド可能に係合した第１ガイド溝４３と、インバート体２６の閉鎖板５４がスライド可能に係合した第２ガイド溝４４とを備えている。図９に示すように、第１ガイド溝４３は、インバート体２６が第２の切替位置に配置されたときに、インバート体２６が第２の切替位置に保持されるようにインバート体２６の保持板５３を狭持するように構成されている。第２ガイド溝４４は、インバート体２６が第２の切替位置に配置されたときに、インバート体２６が第２の切替位置に保持されるようにインバート体２６の閉鎖板５４を狭持するように構成されている。このことによって、第１ガイド溝４３および第２ガイド溝４４によって、インバート体２６の切替位置を容易に変更することができる。
【００６９】
また、本実施形態では、第１ガイド溝４３および第２ガイド溝４４は、可撓性を有する部材によって形成されている。このことによって、インバート体２６をます本体２１内で容易に保持することができる。
【００７０】
本実施形態では、図１０に示すように、インバート体２６には、取っ手５５が設けられている。このことによって、作業者が取っ手５５を持って、インバート体２６の切替位置を変更し易くすることができる。
【００７１】
本実施形態では、図２に示すように、貯留槽７０が接続された第２流出口３４は、ます本体２１の側部に形成されている。よって、貯留槽７０を出来るだけ浅い位置に埋設することができる。そのため、貯留槽７０を埋設するための作業時間を短縮することができると共に、貯留槽７０を埋設するための作業コストを削減することができる。
【００７２】
＜第１実施形態の変形例＞
次に第１実施形態の変形例について説明する。第１実施形態では、図３に示すように、インバート体２６は、平面視において、点検口３１内の下流側に配置されていた。しかし、インバート体２６は、点検口３１内の中央に配置されていてもよい。また、点検口３１を通じて、インバート体２６の切替位置を変更できる程度の大きさとなるように、点検口３１の内径を短くしてもよい。
【００７３】
第１実施形態において、図４に示すように、第１流出口３３は、流入口３２と対向する位置に設けられていた。しかし、第１流出口３３は、流入口３２側から見て、ます本体２１の右側に設けられてもよいし、左側に設けられてもよい。第１流出口３３の位置と第２流出口３４の位置とを入れ替えてもよい。
【００７４】
第１実施形態において、排水ます２０のます本体２１の側部には、２つの流出口（第１流出口３３および第２流出口３４）が設けられていた。しかし、本発明の排水ますは、ます本体の側部に３つ以上の複数の流出口が設けられてもよい。
【００７５】
以上、第１実施形態に係る排水システム１Ａについて説明した。しかし、本発明に係る排水システムは、第１実施形態に係る排水システム１Ａに限らず、他の種々の形態で実施することができる。次に、他の実施形態について簡単に説明する。なお、以下の説明では、既に説明した構成と同様の構成は同じ符号を付し、その説明は省略することとする。
【００７６】
＜第２実施形態＞
次に、第２実施形態に係る排水システム１Ｂについて説明する。図１４は、第２実施形態に係る排水システム１Ｂの平面図である。排水システム１Ｂは、排水ます１２０を備えている。本発明の排水ますは、排水ます１２０であってもよい。
【００７７】
排水ます１２０は、汚水の流路の切り替えが可能なますである。図１５は、第２実施形態に係る排水ます１２０の平面図である。図１６は、図１５のＸＶＩ−ＸＶＩ断面における排水ます１２０の断面図である。図１５に示すように、排水ます１２０は、ます本体１２１と、回動体１２６とを備えている。
【００７８】
図１６に示すように、ます本体１２１は、有底筒状であり、内部に空間を有する形状である。ます本体１２１は、下部が下方に凹んだ略お椀形状を有している。ます本体１２１の上部には、上方に開口する点検口１３１が形成されている。図１５に示すように、ます本体１２１の側部には、側方に開口する流入口１３２、第１流出口１３３および第２流出口１３４が形成されている。図１４に示すように、流入口１３２には流入管路１１の下流端が接続される。第１流出口１３３には、第１流出管路１２の上流端が接続される。第２流出口１３４には、第２流出管路１３が接続される。
【００７９】
回動体１２６は、ます本体２１内の汚水の流路を切り替える部材である。本実施形態では、回動体１２６が「インバート体」に対応する。図１６に示すように、回動体１２６は、ます本体１２１内の下部に設けられている。回動体１２６は、中心軸Ｃ５を中心に回動自在である。図１７は、図１５において、回動体１２６をます本体１２１に対して回動させた図である。回動体１２６は、ます本体１２１に対して回動することによって、ます本体１２１内に設けられた状態で流入口１３２と第１流出口１３３とが繋がる位置（第１の切替位置、図１７参照）と、ます本体１２１内に設けられた状態で流入口１３２と第２流出口１３４とが繋がる位置（第２の切替位置、図１５参照）との間で位置変更が可能である。
【００８０】
図１８は、回動体１２６の平面図である。図１９は、回動体１２６の左側面図である。図１８に示すように、回動体１２６は、本体１４１と、溝部１４２と、上面部１４４と、閉鎖部１４３（図１９参照）とを備えている。
【００８１】
本体１４１は、ます本体１２１の下部に対応した略お椀形状を有している。本体１４１は、平面視において、略円形状である。図１７に示すように、溝部１４２は、本体１４１の上面に形成されている。溝部１４２には、汚水が流れる。溝部１４２は、第１の切替位置に回動体１２６を配置したときに、流入口１３２と第１流出口１３３とを繋ぐ。回動体１２６が第１の切替位置に配置されたとき、溝部１４２の一端１４２ｂは流入口１３２と繋がり、溝部１４２の他端１４２ａは第１流出口１３３と繋がる。一方、図１５に示すように、溝部１４２は、第２の切替位置に回動体１２６を配置したときに、流入口１３２と第２流出口１３４とを繋ぐ。回動体１２６が第２の切替位置に配置されたとき、溝部１４２の一端１４２ｂは第２流出口１３４と繋がり、溝部１４２の他端１４２ａは流入口１３２と繋がる。
【００８２】
図１６に示すように、上面部１４４は、ます本体１２１内において、ます本体１２１の下端から上方に離れた位置に設けられている。図１９に示すように、上面部１４４は、溝部１４２の上端と連続している。上面部１４４は、溝部１４２から離れるに連れて上方に延びている。上面部１４４は傾斜している。このことによって、溝部１４２を流れる汚水が上面部１４４に乗り上げてしまった場合、汚水は、上面部１４４の傾斜によって溝部１４２へ導かれ易くなる。
【００８３】
図１８に示すように、回動体１２６の本体１４１の上部表面には、挿入孔１４５が形成されている。挿入孔１４５は、ます本体１２１に対して回動体１２６を回動させる際に、補助器具（図示せず）を挿入するための孔である。本実施形態では、挿入孔１４５は、本体１４１の上面に３つ形成されている。上記補助器具は、例えば、先端が３つの挿入孔１４５のそれぞれに挿入可能な複数の棒状部と、上記複数の棒状部のそれぞれの末端に設けられ、作業者が把持可能な把持部とを備えたものである。挿入孔１４５の位置は特に限定されないが、平面視において、本体１４１の上面の中央から離れた位置であるとよい。このことによって、作業者が上記補助器具を挿入孔１４５に挿入して、回動体１２６を回動させ易くなる。
【００８４】
図１９に示すように、閉鎖部１４３は、ます本体１２１の第１流出口１３３および第２流出口１３４を閉鎖可能なものである。本実施形態では、閉鎖部１４３は、本体１４１の側面上部のうち溝部１４２を除いた部分である。第２流出口１３４は、流入口１３２と第１流出口１３３とが繋がる第１の切替位置に回動体１２６を配置したとき、閉鎖部１４３によって閉鎖される。一方、第１流出口１３３は、流入口１３２と第２流出口１３４とが繋がる第２の切替位置に回動体１２６を配置したとき、閉鎖部１４３によって閉鎖される。
【００８５】
次に、本実施形態に係る排水システム１Ｂおよび排水ます１２０の利用方法について説明する。排水システム１Ｂは、通常時モードでは、排水設備５から流出する汚水を下水本管１５に排出し、災害時モードでは、排水ます１２０の流路を切り替えて、排水設備５から流出する汚水を貯留槽７０へ排出するように用いられる。
【００８６】
通常時モードでは、図１７に示すように、流入口１３２と第１流出口１３３とが繋がる第１の切替位置に、回動体１２６をます本体１２１内に配置する。具体的には、回動体１２６の溝部１４２の一端４２ｂがます本体１２１の流入口１３２と繋がり、溝部１４２の他端１４２ａがます本体１２１の第１流出口１３３に繋がるように、回動体１２６をます本体１２１内に配置する。このとき、第２流出口１３４は、回動体１２６の閉鎖部１４３によって閉鎖されている。
【００８７】
図１４に示すように、排水設備５から流出した汚水は、流入管路１１を流れた後、排水ます１２０の流入口１３２からます本体１２１内に流入する。ます本体１２１内に流入した汚水は、図１７に示すように、回動体１２６の本体１４１の上面に設けられた溝部１４２を通り、第１流出口１３３からます本体１２１の外へ流出する。なお、このとき、第２流出口１３４は、閉鎖部１４３によって閉鎖されているため、汚水は第２流出口１３４には流れない。図１４に示すように、第１流出口１３３から流出した汚水は、第１流出管路１２を流れ、下水本管１５に排出される。下水本管１５に排出された汚水は、汚水処理場等に導かれ、浄化処理される。
【００８８】
災害時モードでは、回動体１２６を第１の切替位置（図１７参照）から、流入口１３２と第２流出口１３４とが繋がる第２の切替位置（図１５参照）へ位置を変更する。例えば、図１７に示すように、回動体１２６の挿入孔１４５に、回動体１２６を回動するための補助器具を挿入する。そして、作業者は、上記補助器具を利用して、図１５に示すように、回動体１２６の溝部１４２の一端１４２ｂがます本体１２１の第２流出口１３４に繋がり、溝部１４２の他端１４２ａがます本体１２１の流入口１３２に繋がる位置まで、回動体１２６をます本体１２１に対して回動させる。このとき、第１流出口１３３は、回動体１２６の閉鎖部１４３によって閉鎖されている。
【００８９】
災害時モードでは、図１４に示すように、排水設備５から流出した汚水は、第１流出管路１１を流れた後、排水ます１２０の流入口１３２からます本体１２１内に流入する。ます本体１２１内に流入した汚水は、図１５に示すように、本体１４１の上面に設けられた溝部１４２を通り、第２流出口１３４からます本体１２１の外へ流出する。なお、このとき、第１流出口１３３は、閉鎖部１４３によって閉鎖されているため、汚水は第１流出口１３３には流れない。図１４に示すように、第２流出口１３４から流出した汚水は、第２流出管路１３を通じて貯留槽７０へ排出され、貯留される。
【００９０】
以上のように、本実施形態であっても、回動体１２６を第１の切替位置から第２の切替位置に位置変更して、汚水の流路を切り替えた場合、回動体１２６は、ます本体１２１内に設けられている。よって、汚水の流路を切り替えた後であっても、回動体１２６を保管する場所をます本体１２１の外で確保する必要がない。よって、回動体１２６が紛失することを防止することができる。
【符号の説明】
【００９１】
１Ａ、１Ｂ  排水システム
１１  流入管路
１２  第１流出管路
１３  第２流出管路
２０、１２０  排水ます
２１  ます本体
２６  インバート体
３１  点検口
３２  流入口
３３  第１流出口
３４  第２流出口
４１  流入溝部
４２  流出溝部
４３  第１ガイド溝（ガイド溝）
４４  第２ガイド溝
５１  溝部（インバート溝部）
５２  上面部
５３  保持板（支持部）
５４  閉鎖板（閉鎖部）
５５  取っ手
７０  貯留槽
【図１】
2015145583.tif 000003
【図２】
2015145583.tif 000004
【図３】
2015145583.tif 000005
【図４】
2015145583.tif 000006
【図５】
2015145583.tif 000007
【図６】
2015145583.tif 000008
【図７】
2015145583.tif 000009
【図８】
2015145583.tif 000010
【図９】
2015145583.tif 000011
【図１０】
2015145583.tif 000012
【図１１】
2015145583.tif 000013
【図１２】
2015145583.tif 000014
【図１３】
2015145583.tif 000015
【図１４】
2015145583.tif 000016
【図１５】
2015145583.tif 000017
【図１６】
2015145583.tif 000018
【図１７】
2015145583.tif 000019
【図１８】
2015145583.tif 000020
【図１９】
2015145583.tif 000021